(57)【要約】【課題】手や首に障害がある者でも容易に使用することができる飲用容器の提供。【解決手段】この飲用容器３０は、筒状本体３７と、第１仕切板３１及び第２仕切板３２とを備えている。筒状本体３７は円筒状に形成されており、第１仕切板３１が傾斜して筒状本体３７の内部に配置されている。筒状本体３７の内部に上側収容室３３及び下側収容室３４が区画され、下側収容室３４内に第２仕切板３２が配置されている。第２仕切板３２は、傾斜して配置されており、第１仕切板３１の中央に接続されている。第１仕切板３１及び第２仕切板３２は、４５°に傾斜されている。【選択図】図５
2013095489.tif 000002
【特許請求の範囲】
【請求項１】
上端及び下端にそれぞれ上端開口部及び下端開口部が設けられた筒状本体と、
当該筒状本体の内部に上記上端開口部を有する上側収容室及び上記下端開口部を有する下側収容室を区画するように配置された仕切板とを備え、
当該仕切板は、上記上側収容室及び下側収容室がくさび状空間を形成するように上記筒状本体の中心軸に対して傾斜している飲用容器。
【請求項２】
上記上側収容室及び下側収容室は、上記仕切板を基準に対称に形成されている請求項１に記載の飲用容器。
【請求項３】
上記筒状本体に把手が設けられている請求項１又は２に記載の飲用容器。
【請求項４】
上端及び下端にそれぞれ上端開口部及び下端開口部が設けられた筒状本体と、
当該筒状本体の内部に上記上端開口部を有する上側収容室を区画するように上記筒状本体の中心軸に対して傾斜して配置された第１仕切板と、
当該第１仕切板と協働して上記筒状本体の内部に上記下端開口部を有する下側収容室を区画するように上記筒状本体の中心軸に対して傾斜し且つ上記第１仕切板と交差して配置された第２仕切板とを備え、
上記第１仕切板は、上記上側収容室が上記上端から上記下端に向かって漸次先鋭するくさび状空間を形成するように上記筒状本体の中心軸に対して傾斜しており、
上記第２仕切板は、上記下側収容室が上記下端から上記第１仕切板と交差する部位に向かって漸次先鋭するくさび状空間を形成するように上記筒状本体の中心軸に対して傾斜している飲用容器。
【請求項５】
上記第１仕切板及び第２仕切板により、上記筒状本体の外周面にＶ字状の窪みが区画形成されている請求項４に記載の飲用容器。
【請求項６】
上記第２仕切板は、上記第１仕切板の中央と交差している請求項４又は５に記載の飲用容器。
【請求項７】
上記筒状本体の外周面であって上記上端部又は下端部の少なくともいずれか一方の外周面を形成する部位は、径方向に漸次先鋭する一対の平面を備えている請求項４から６のいずれかに記載の飲用容器。
【請求項８】
上記筒状本体の外周面に、上記第１仕切板と第２仕切板とが交差する部位を中心とする凹部が形成されている請求項５から７のいずれかに記載の飲用容器。
【発明の詳細な説明】
【技術分野】
【０００１】
この発明は、飲用容器の構造、特に障害者や要介護者が使用することを前提とした飲用容器の構造に関するものである。
【背景技術】
【０００２】
特に手や首に障害や不自由を持つ人にとって、飲用物をカップその他飲用容器を用いて飲用することは容易でないことが多く、カップから飲用物が溢れてしまうことも少なくない。これを防止するため、従来から特別の形状の飲み口が形成されたカップが提案されている（たとえば、特許文献１参照）。このカップでは、当該カップの開口部に板部材が設けられている。この板部材は、開口部の一部を塞ぐように設けられており、且つこの板部材の中央部が切り欠かれており、当該切欠部によって注ぎ口が形成されている。使用者は、このカップを手に持ち、注ぎ口に口を当てて当該カップを傾斜させることにより、飲用物を少量ずつ注ぎ口から簡単に口に流し込める。
【先行技術文献】
【特許文献】
【０００３】
【特許文献１】特開２００９−２２６０１７号公報
【発明の概要】
【発明が解決しようとする課題】
【０００４】
しかし、手や首に障害や不自由を持つ人は、そもそもカップを自由に傾斜させることが困難であることが多く、上記注ぎ口が設けられていたとしてもカップを用いて容易に飲用物を飲用することができない場合もある。
【０００５】
そこで、本発明は、手や首を大きく動かすことなく飲用物を少しずつ容易且つ確実に飲用することができる飲用カップを提供することである。
【課題を解決するための手段】
【０００６】
(1) 上記目的が達成されるため、本発明に係る飲用容器は、上端及び下端にそれぞれ上端開口部及び下端開口部が設けられた筒状本体と、当該筒状本体の内部に上記上端開口部を有する上側収容室及び上記下端開口部を有する下側収容室を区画するように配置された仕切板とを備える。当該仕切板は、上記上側収容室及び下側収容室がくさび状空間を形成するように上記筒状本体の中心軸に対して傾斜されている。
【０００７】
この発明に係る飲用容器は、上記筒状本体の上端が上向きとなるようにテーブル上に載置され、あるいは使用者の手によって把持される。この状態で、上記仕切板は、上記筒状本体の底板として機能し、上記筒状本体の内面と仕切板の上面とによって上記上側収容室が区画される。この上側収容室に上記上端開口部を通じて飲料等が注がれる。また、上記筒状本体の内面と仕切板の下面とによって上記下側収容室が区画される。この下側収容室の下端開口部は下向きに開口しているから、上記筒状本体の上端が上向きとなっている状態では、飲料等は下側収容室に収容され得ない。しかし、上記筒状本体の下端が上向きとなるようにテーブル上に載置され、あるいは使用者の手によって把持されるときは、上記下側収容室に上記下端開口部を通じて飲料等が注がれる。
【０００８】
ところで、上記仕切板が前述のように傾斜しているから、上記上側収容室及び下側収容室はくさび状空間を形成している。すなわち、上記上側収容室の深さは、上記上端開口部の所定位置で最も小さく、当該所定位置から離れるほど大きくなっている。したがって、使用者が当該飲用容器を手に持って上記所定位置に口を付けることにより、使用者は、当該飲用容器をわずかに傾けるだけで、上記飲料等を少しずつ口に運ぶことができる。
【０００９】
(2) 上記上側収容室及び下側収容室は、上記仕切板を基準に対称に形成されていてもよい。
【００１０】
この構成では、上記筒状本体の上端が上向きであっても下端が上向きであっても、使用者は同様に飲用容器を使用することができる。
【００１１】
(3) 上記筒状本体に把手が設けられているのが好ましい。
【００１２】
この構成では、使用者は、把手を掴んで飲用容器を持つことができ、より簡単に内容物を口に運ぶことができる。なお、この把手は、左右対称に設けられていてもよいし、いずれか一方のみが設けられていてもよい。
【００１３】
(4) また、上記目的が達成されるため、本願発明に係る飲用容器は、上端及び下端にそれぞれ上端開口部及び下端開口部が設けられた筒状本体と、当該筒状本体の内部に上記上端開口部を有する上側収容室を区画するように上記筒状本体の中心軸に対して傾斜して配置された第１仕切板と、当該第１仕切板と協働して上記筒状本体の内部に上記下端開口部を有する下側収容室を区画するように上記筒状本体の中心軸に対して傾斜し且つ上記第１仕切板と交差して配置された第２仕切板とを備える。上記第１仕切板は、上記上側収容室が上記上端から上記下端に向かって漸次先鋭するくさび状空間を形成するように上記筒状本体の中心軸に対して傾斜している。上記第２仕切板は、上記下側収容室が上記下端から上記第１仕切板と交差する部位に向かって漸次先鋭するくさび状空間を形成するように上記筒状本体の中心軸に対して傾斜している。
【００１４】
この発明に係る飲用容器は、上記筒状本体の上端が上向きとなるようにテーブル上に載置され、あるいは使用者の手によって把持される。この状態で、上記第１仕切板は、上記筒状本体の底板として機能し、上記筒状本体の内面と第１仕切板の上面とによって上記上側収容室が区画される。この上側収容室に上記上端開口部を通じて飲料等が注がれる。また、上記筒状本体の内面、上記第１仕切板の下面及び第２仕切板の下面によって上記下側収容室が区画される。この下側収容室の下端開口部は下向きに開口しているから、上記筒状本体の上端が上向きとなっている状態では、飲料等は下側収容室に収容され得ない。しかし、上記筒状本体の下端が上向きとなるようにテーブル上に載置され、あるいは使用者の手によって把持されるときは、上記下側収容室に上記下端開口部を通じて飲料等が注がれる。
【００１５】
ところで、上記第１仕切板が前述のように傾斜しているから、上記上側収容室は、上記上端から上記下端に向かって漸次先鋭するくさび状空間を形成している。また、上記第２仕切板が前述のように傾斜しているから、上記下側収容室は、上記下端から上記第１仕切板と上記第２仕切板とが交差する部位に向かって漸次先鋭するくさび状空間を形成している。すなわち、上記上側収容室の深さは、上記上端開口部の所定位置で最も小さく、当該所定位置から離れるほど大きくなっている。また、上記下側収容室の深さは、上記下端開口部の所定位置で最も小さく、当該下側収容室の中央部で最も大きくなっている。つまり、上記下側収容室は、いわゆるすり鉢状に形成されている。したがって、使用者が当該飲用容器を手に持って上記所定位置に口を付けることにより、使用者は、当該飲用容器をわずかに傾けるだけで、上記飲料等を少しずつ口に運ぶことができる。また、上記すり鉢状に形成された下側収容室は、内容物としてゼリー状のものを収容するのに便利である。
【００１６】
(5) 上記第１仕切板及び第２仕切板により、上記筒状本体の外周面にＶ字状の窪みが区画形成されていてもよい。
【００１７】
すなわち、この構成では、上記筒状本体は、上記第１仕切板の縁部及び第２仕切板の縁部と交差する仮想線によって切り取られており、その結果、上記筒状本体の外周面にＶ字状の窪みが形成されている。このため、使用者が上記飲用容器を把持する際に親指を上記窪みに進入させることができ、この飲用容器の外形形状は、使用者にとって非常に持ち易いものとなる。
【００１８】
(6) 上記第２仕切板は、上記第１仕切板の中央と交差しているのが好ましい。
【００１９】
この構成では、上記下側収容室の深さは、当該下側収容室の中央が最も大きくなり、対称形状となる。これにより、上記下側収容室にゼリー状のものを安定して収容することができる。
【００２０】
(7) 上記筒状本体の外周面であって上記上端部又は下端部の少なくともいずれか一方の外周面を形成する部位は、径方向に漸次先鋭する一対の平面を備えていてもよい。
【００２１】
この構成によれば、上記一対の平面により、上記筒状本体の上端部又は下端部に飲み口が形成される。これにより、使用者は、より一層簡単に内容物を口に運ぶことができる。
【００２２】
(8) 上記筒状本体の外周面に、上記第１仕切板と第２仕切板とが交差する部位を中心とする凹部が形成されているのが好ましい。
【００２３】
この構成によれば、使用者が上記筒状本体を把持した状態で、親指と人差し指との間の部位が上記凹部に沿って配置されることになる。これにより、使用者にとって飲用容器の握り心地が向上する。
【発明の効果】
【００２４】
この発明によれば、飲用容器の底部が傾斜しているから、使用者は、当該飲用容器をわずかに傾けるだけで、内容物（飲料等）を少しずつ口に運ぶことができる。それにより、使用者が手や首に障害を持つ場合であっても、手や首を大きく動かすことなく簡単且つ確実に飲料等を飲むことができる。また、使用者が介護者であるときは、介護が非常に簡単になる。加えて、本発明に係る飲用容器は、離乳食を始めた幼児の知育食器としても利用され得る。
【図面の簡単な説明】
【００２５】
【図１】図１は、本発明の第１の実施形態に係る飲用容器１０の外観斜視図である。
【図２】図２は、図１におけるＩＩ−矢視図である。
【図３】図３は、飲用容器１０の外観斜視図である。
【図４】図４は、第１の実施形態の変形例に係る飲用容器２５の斜視図である。
【図５】図５は、本発明の第２の実施形態に係る飲用容器３０の外観斜視図である。
【図６】図６は、飲用容器３０の外観斜視図である。
【図７】図７は、図５におけるＶＩＩ−矢視図である。
【図８】図８は、飲用容器３０の外観斜視図である。
【図９】図９は、飲用容器３０の外観斜視図である。
【図１０】図１０は、第２の実施形態の第１の変形例に係る飲用容器５０の斜視図である。
【図１１】図１１は、飲用容器５０の斜視図である。
【図１２】図１２は、第２の実施形態の第２の変形例に係る飲用容器６０の斜視図である。
【図１３】図１３は、飲用容器６０の外観斜視図である。
【図１４】図１４は、図１２におけるＸＩＶ−矢視図である。
【図１５】図１５は、飲用容器６０の外観斜視図である。
【図１６】図１６は、飲用容器６０の外観斜視図である。
【図１７】図１７は、第２の実施形態の第３の変形例に係る飲用容器７０の斜視図である。
【図１８】図１８は、飲用容器７０の外観斜視図である。
【発明を実施するための形態】
【００２６】
以下、適宜図面が参照されつつ、本発明の好ましい実施形態が説明される。なお、本実施の形態は、本発明に係る飲用容器の一態様にすぎず、本発明の要旨を変更しない範囲で実施態様が変更されてもよいことは言うまでもない。
【００２７】
＜第１の実施形態＞
【００２８】
図１は、本発明の第１の実施形態に係る飲用容器１０の外観斜視図である。
【００２９】
この飲用容器１０は、特に手や首等に障害を持つ人や介護者又は被介護者（以下、適宜「使用者」と称する。）が使用することを前提とするものである。この飲用容器１０は、清涼飲料その他の飲用物、ゼリー状の食品等を収容することができ、いわゆるカップないし食器として使用される。本実施形態に係る飲用容器１０の特徴とするところは、底面を構成する仕切板１１が同図に示すように傾斜して配置されている点である。このように仕切板１１が配置されることにより、使用者は、飲用容器１０の所定位置１２に口をつけ、わずかに飲用容器１０を傾けるだけで、仮に首や手が自由に動かせなくとも当該飲用容器１０に収容された飲料等を少量ずつ簡単に溢さずに飲むことができるようになっている。つまり、この飲用容器１０は、障害者等にとって非常に使いやすく、また、介護者にとっても使いやすいものである。
【００３０】
以下、飲用容器１０の構造について詳述される。
【００３１】
同図が示すように、飲用容器１０は、筒状本体１３と、上記仕切板１１とを備えている。本実施形態では、筒状本体１３に把手１４が設けられている。筒状本体１３、仕切板１１及び把手１４は、樹脂により一体的に形成されている。なお、これらが樹脂以外の材料で構成されてもよいことは勿論である。
【００３２】
筒状本体１３は、本実施形態では円筒状に形成されている。したがって、筒状本体１３の上端に上端開口部１５が設けられている。同様に、筒状本体１３の下端に下端開口部１６が設けられている。本実施形態では、筒状本体１３の上端周縁に肉厚部１７が形成され、同様に下端周縁に肉厚部１８が形成されている。これにより、筒状本体１３の上端開口部１５及び下端開口１６の剛性が向上されている。もっとも、これら肉厚部１７、１８は、省略されてもよい。また、上記把手１４は、楕円状に湾曲形成されている。この把手１４の上端が上記肉厚部１７に接続され、下端が上記肉厚部１８に接続されている。
【００３３】
図２は、図１におけるＩＩ−矢視図であって、上記飲用容器１０の側面図である。図３は、上記飲用容器１０の外観斜視図であって、図１と異なる方向から観た図である。
【００３４】
上記仕切板１１は、楕円形を呈する薄肉板である。図２が示すように、この仕切板１１は、筒状本体１３の中心軸１９に対して角度θだけ傾斜して配置されている。この角度θは、３０°（ａｇｒｅｅ）〜６０°に設置され得る。本実施形態では、角度θは４５°に設定されている。
【００３５】
仕切板１１が前述のように配置されることにより、筒状本体１３の内部に２つのキャビティが区画形成される。すなわち、筒状本体１３の内部に、上側収容室２０及び下側収容室２１が形成されている。この上側収容室２０は、筒状本体１３の内面と仕切板１１の上面とによって区画される。上側収容室２０は、上記上端開口部１５を有し、くさび形の空間を構成している。つまり、上側収容室２０は、上記上端開口部１５から下方に向かって（すなわち、筒状本体１３の上端から下端に向かって）漸次先鋭する空間を構成しており、この上側収容室２０の深さは、上端開口部１５の上記所定位置１２において最も小さく、この所定位置１２から筒状本体１３の径方向に沿って離れるほど大きくなっている。
【００３６】
同様に、上記下側収容室２１は、筒状本体１３の内面と仕切板１１の下面とによって区画される。下側収容室２１は、上記下端開口部１６を有し、くさび形の空間を構成している。つまり、下側収容室２１は、上記下端開口部１６から下方に向かって（すなわち、筒状本体１３の下端から上端に向かって）漸次先鋭する空間を構成している。そして、下側収容室２０の深さは、下端開口部１６の所定位置２２において最も小さく、この所定位置２２から筒状本体１３の径方向に沿って離れるほど大きくなっている。なお、この所定位置２２は、上端開口部１５の所定位置１２に対する対角の位置である（図２参照）。
【００３７】
また、本実施形態では、仕切板１１の角度θが４５°に設定されている。したがって、上側収容室２０及び下側収容室２１は、仕切板１１を基準に上下に対称に形成されている。このように上側収容室２０及び下側収容室２１が上下に対称に配置されることによる作用効果については後述される。
【００３８】
この飲用容器１０は、典型的には図１ないし図３が示すように、筒状本体１３の上端が上向きとなるようにテーブル上に載置される。また、使用者は、筒状本体１３の上端が上向きとなるように、この飲用容器１０を手で把持する。そして、この状態で、仕切板１１は、筒状本体１３の底板として機能し、上記上側収容室２０が区画される。もっとも、筒状本体１３の下端が上向きとなるようにテーブル上に載置されることも可能であり、使用者は、筒状本体１３の下端が上向きとなるように、この飲用容器１０を手で把持することもできる。この場合も、上記仕切板１１が筒状本体１３の底板として機能し、上記下側収容室２１が区画される。
【００３９】
図１ないし図３の状態では、上記上端開口部１５を通じて上側収容室２０に飲料等が注がれる。また、筒状本体１２の下端が上向きにされるときは、上記下端開口部１６を通じて下側収容室２１に飲料等が注がれる。上記仕切板１１が傾斜しているから、上側収容室２０及び下側収容室２１は、前述のようなくさび状空間を形成している。したがって、図１ないし図３の状態で、使用者が飲用容器１０を手に持って上記所定位置１２に口を付けることにより、使用者は、飲用容器１０をわずかに傾けるだけで、上記飲料を少しずつ溢さずに口に運ぶことができる。なお、筒状本体１３の下端が上向きとなるように飲用容器１０が使用される場合は、使用者が飲用容器１０を手に持って上記所定位置２２に口を付けることにより、使用者は、飲用容器１０をわずかに傾けるだけで、上記飲料を少しずつ溢さずに口に運ぶことができる。
【００４０】
その結果、仮に使用者が手や首に障害を持っている場合であっても、手や首を大きく動かすことなく簡単且つ確実に飲料を飲むことができる。また、使用者が介護者であるときは、介護が非常に簡単になるという利点がある。
【００４１】
本実施形態では、前述のように上側収容室２０及び下側収容室２０が仕切板１１を基準に対称に形成されているので、筒状本体１３の上端が上向きであっても下向きであっても、使用者は同様に飲用容器１０を使用することができるという利点がある。
【００４２】
また、本実施形態では、特に把手１４が設けられているので、使用者は、把手１４を掴んで飲用容器１０を持つことができる。これにより、より簡単に飲料を口に運ぶことができる。なお、この把手１４は、図１が示す位置に設けられているが、筒状本体１３の径方向に対向するように２つの把手１４が設けられていてもよい。また、いずれか一方の把手１４が設けられているのみでもよい。
【００４３】
図４は、本実施形態の変形例に係る飲用容器２５の斜視図である。
【００４４】
同図が示すように、本変形例に係る飲用容器２５が上記飲用容器１０と異なるところは、上記飲用容器１０には把手１４が設けられていたのに対し、本変形例に係る飲用容器２５は、把手１４が省略されている点である。なお、その他の構成については上記飲用容器１０と同様である。
【００４５】
この場合、使用者は、飲用容器２５の筒状本体１３を掴み、飲料を口に運ぶことができる。そして、仕切板１１が前述のように傾斜しているので、上記実施形態に係る飲用容器１０と同様の作用効果が奏される。
【００４６】
上記実施形態に係る飲用容器１０では、筒状本体１３は円筒状に形成されているが、筒状本体１３は、筒状に形成されていれば、他の形状であってもよいことは勿論である。
【００４７】
＜第２の実施形態＞
【００４８】
図５は、本発明の第２の実施形態に係る飲用容器３０の外観斜視図である。図６は、飲用容器３０の外観斜視図であって、図５とは異なる方向から観た斜視図である。図７は、図５におけるＶＩＩ−矢視図である。さらに、図８は、図５において上下が反転された状態の飲用容器３０の外観斜視図であり、図９は、図８とは異なる方向から観た斜視図である。
【００４９】
上記第１の実施形態に係る飲用容器１０と同様に、飲用容器３０は、特に手や首等に障害を持つ人や介護者又は被介護者が使用することを前提とするものである。この飲用容器３０は、飲用容器１０と同様に、清涼飲料その他の飲用物、ゼリー状の食品等を収容することができ、いわゆるカップないし食器として使用される。
【００５０】
本実施形態に係る飲用容器３０の特徴とするところは、第１仕切板３１及び第２仕切板３２が備えられており、これらは図７が示すように傾斜して配置されている点である。このように第１仕切板３１及び第２仕切板３２が配置されることにより、２つのキャビティ（すなわち、後述される上側収容室３３及び下側収容室３４）が飲用容器３０の内部に形成される。そして、使用者は、飲用容器３０の所定位置３５に口をつけ、わずかに飲用容器３０を傾けるだけで、上記上側収容室３３に収容された飲料等を少量ずつ簡単に溢さずに飲むことができ、また、使用者は、飲用容器３０の上下を反転させ、飲用容器３０の所定位置３６に口をつけ、わずかに飲用容器３０を傾けるだけで、上記下側収容室３４に収容された飲料等を少量ずつ簡単に溢さずに飲むことができるようになっている。つまり、この飲用容器３０は、障害者等にとって非常に使いやすく、また、介護者にとっても使いやすいものである。
【００５１】
以下、飲用容器３０の構造について詳述される。
【００５２】
飲用容器３０は、筒状本体３７と、上記第１仕切板３１及び第２仕切板３２とを備えている。本実施形態では、上記飲用容器１０に設けられていた把手１４（図１参照）が設けられていない。もっとも、これと同様の把手が筒状本体３７に設けられていてもよいことは勿論である。筒状本体３７、第１仕切板３１及び第２仕切板３２は、樹脂により一体的に形成されている。なお、これらが樹脂以外の材料で構成されてもよいことは勿論である。
【００５３】
筒状本体３７は、本実施形態では円筒状に形成されている。したがって、筒状本体３７の上端に上端開口部３８が設けられている。同様に、筒状本体３７の下端に下端開口部３９が設けられている。なお、本実施形態では、上記飲用容器１０に設けられていた肉厚部１７、１８（図１参照）が設けられていない。もっとも、上記肉厚部１７、１８と同様の肉厚部が筒状本体３７の上端周縁及び下端周縁に形成されていてもよい。
【００５４】
上記第１仕切板３１は、楕円形を呈する薄肉板である。図７が示すように、この第１仕切板３１は、筒状本体３７の中心軸４０に対して角度θだけ傾斜して配置されている。この角度θは、３０°〜６０°に設置され得る。本実施形態では、角度θは４５°に設定されている。一方、上記第２仕切板３２は、半楕円形を呈する薄肉板である。この第２仕切板３２は、第１仕切板３１の下面側に配置されており、上記中心軸４０に対して角度φだけ傾斜して配置されている。この角度φは、３０°〜６０°に設置され得る。上記第２仕切板３２は、第１仕切板３１と交差しており。本実施形態では、第１仕切板３１の中央と交差している。なお、第２仕切板３２は、第１仕切板３１の中央以外の部位と交差していてもよいことは勿論である。
【００５５】
第１仕切板３１及び第２仕切板３２が前述のように配置されることにより、筒状本体３７の内部に上記上側収容室３３及び下側収容室３４が形成されている。この上側収容室３３は、筒状本体３７の内面と第１仕切板３１の上面とによって区画される。上側収容室３３は、上記上端開口部３８を有し、くさび形の空間を構成している。つまり、上側収容室３３は、上記上端開口部３８から下方に向かって（すなわち、筒状本体３３の上端から下端に向かって）漸次先鋭する空間を構成しており、この上側収容室３３の深さは、上端開口部３８の上記所定位置３５において最も小さく、この所定位置３５から筒状本体１３の径方向に沿って離れるほど大きくなっている。
【００５６】
同様に、上記下側収容室３４は、筒状本体３７の内面、第１仕切板３１の下面及び第２仕切板３２の下面とによって区画される。このように、下側収容室３４は、第１仕切板３１と第２仕切板３２とが協働して区画形成される。この下側収容室３４は、上記下端開口部３９を有し、くさび形の空間を構成している。つまり、下側収容室３４は、上記下端開口部３９から上方に向かって、具体的には、筒状本体１３の下端から上記第１仕切板３１と第２仕切板３２とが交差する部位４１に向かって漸次先鋭する空間を構成している。そして、下側収容室３４の深さは、下端開口部３９の所定位置３６、４４において最も小さく、この所定位置３６、４４から筒状本体１３の径方向に沿って離れるほど大きくなっている。なお、この所定位置４４は、上端開口部３８の所定位置３５に対する対角の位置であり、上記所定位置３６は、下端開口部３９において上記所定位置４４と径方向に対向する位置である（図７参照）。
【００５７】
本実施形態では、第１仕切板３１の角度θが４５°に設定されている。また、第２仕切板３２は、第１仕切板３１の中央と交差しており、上記交差する部位４１は、真直な直線を形成する。本実施形態では、第２仕切板３２が前述のように第１仕切板３１と交差することにより、第２仕切板３２の角度φは４５°となっている。また、第２仕切板３２が第１仕切板３１の中央と交差することによって、下側収容室３４は、いわゆるすり鉢状に形成されている。下側収容室３４がすり鉢状に形成されることによる作用効果については後述される。
【００５８】
また、本実施形態では、筒状本体３７の外周面４２の一部が切り取られており、図５ないし図９が示すようなＶ字状の窪み４３が形成されている。具体的には、第１仕切板３１及び第２仕切板３２が前述のように配置されることにより、当該第１仕切板３１及び第２仕切板３２のそれぞれの縁部が筒状本体３７と交差する仮想線によって上記外周面４２が切り取られている。これにより、上記筒状本体３７に上記Ｖ字状の窪み４３が形成されている。この窪み４３が形成されることによる作用効果は、後述される。なお、上記外周面４２が切り取られることなく、上記窪み４３が形成されていなくてもよい。
【００５９】
この飲用容器３０は、上記第１の実施形態に係る飲用容器１０と同様に、典型的には図１が示すように、筒状本体３７の上端が上向きとなるようにテーブル上に載置される。また、使用者は、筒状本体３７の上端が上向きとなるように、この飲用容器３０を手で把持する。そして、この状態で、第１仕切板３１は、筒状本体３７の底板として機能し、上記上側収容室３３が区画される。もっとも、筒状本体３７の下端が上向きとなるようにテーブル上に載置されることも可能であり、使用者は、筒状本体３７の下端が上向きとなるように、この飲用容器３０を手で把持することもできる。この場合は、上記第１仕切板３１及び第２仕切板３２が筒状本体３７の底板として機能し、上記下側収容室３４が区画される。
【００６０】
図５ないし図７の状態では、上記上端開口部３８を通じて上側収容室３３に飲料が注がれる。上記第１仕切板３１が傾斜しているから、上側収容室３３は、前述のようなくさび状空間を形成している。したがって、使用者が飲用容器３０を手に持って上記所定位置３５に口を付けることにより、使用者は、飲用容器３０をわずかに傾けるだけで、上記飲料を少しずつ溢さずに口に運ぶことができる。
【００６１】
また、図８及び図９の状態では、上記第２仕切板３２が傾斜しているから、下側収容室３４は、前述のようなくさび状空間を形成している。この下側収容室３４は、すり鉢状を呈しているから、この下側収容室３４は、内容物としてゼリー状のものを収容するのに便利である。そして、使用者が飲用容器３０を手に持って上記所定位置３６又は所定位置４４に口を付けることにより、使用者は、飲用容器３０をわずかに傾けるだけで、上記内容物を少しずつ溢さずに口に運ぶことができる。
【００６２】
その結果、仮に使用者が手や首に障害を持っている場合であっても、手や首を大きく動かすことなく簡単且つ確実に飲料を飲むことができる。また、使用者が介護者であるときは、介護が非常に簡単になるという利点がある。
【００６３】
本実施形態では、筒状本体３７の外周面４２に上記Ｖ字状の窪み４３形成されているので、使用者が飲用容器３０を把持する際に親指を上記窪み４３に進入させることができる。これにより、使用者は、飲用容器３０をきわめて容易にに持つことができる。
【００６４】
図１０は、本実施形態の第１の変形例に係る飲用容器５０の斜視図である。図１１は、飲用容器５０の外観斜視図であって、図１０とは異なる方向から観た斜視図である。
【００６５】
本変形例に係る飲用容器５０が上記飲用容器３０と異なるところは、筒状本体３７の所定部位に凹部５１、５２が設けられている点である。なお、その他の構成については上記飲用容器３０と同様である。
【００６６】
この凹部５１、５２は、同図が示すように筒状本体３７の外周面４２であって、第１仕切板３１と第２仕切板３２とが交差する部位を中心として、当該部位の周囲に形成されている。凹部５１は円形を呈し、その深さは１ｍｍ〜１０ｍｍ程度に設定される。
【００６７】
使用者が筒状本体３７を把持したときは、親指が窪み４３に進入し、第１仕切板３１と第２仕切板３２とが交差する線に沿って配置され、且つ人差し指、中指等が筒状本体３７の外周面４２に沿わされるが、上記凹部５１、５２が設けられることにより、親指と人差し指との間の部位が上記凹部５１に沿って配置されることになる。これにより、使用者にとって飲用容器５０の握り心地が向上する。
【００６８】
図１２は、本実施形態の第２の変形例に係る飲用容器６０の斜視図である。図１３は、飲用容器６０の外観斜視図であって、図１２とは異なる方向から観た斜視図である。図１４は、図１２におけるＸＩＶ−矢視図である。さらに、図１５は、図１２において上下が反転された状態の飲用容器６０の外観斜視図であり、図１６は、図１５とは異なる方向から観た斜視図である。
【００６９】
本変形例に係る飲用容器６０が上記飲用容器３０と異なるところは、筒状本体３７の外周面４２に一対の平面６１、６２が形成されている点である。なお、その他の構成については上記飲用容器３０と同様である。
【００７０】
これらの図が示すように、平面６１、６２は、筒状本体３７の下端部に設けられており、互いに向かい合わせの状態となっている。各平面６１、６２は、筒状本体３７の径方向外方に向かって漸次接近するように配置されており、このため、筒状部材３７の下端部は、径方向外方に向かって漸次先鋭する形状となっている。
【００７１】
図１５及び図１６が示すように、筒状本体３７の下端部が上方に配置され、下側収容室３４が使用される場合、上記平面６１、６２が設けられることにより、筒状本体３７の下端部に飲み口６３が形成される。これにより、使用者は、特に内容物がゼリー状の食品等である場合に、より一層簡単に内容物を口に運ぶことができる。なお、本変形例では、筒状本体３７の下端部に上記平面６１、６２が設けられているが、これら平面６１、６２が筒状本体３７の上端部に設けられていてもよいことは勿論である。
【００７２】
図１７は、本実施形態の第３の変形例に係る飲用容器７０の斜視図である。図１８は、飲用容器７０の外観斜視図であって、図１７とは異なる方向から観た斜視図である。
【００７３】
本変形例に係る飲用容器７０が上記飲用容器３０と異なるところは、上記第２の変形例と同様に、筒状本体３７の外周面４２に一対の平面６１、６２が形成されている点、及び上記第１の変形例で開示されたように、筒状本体３７の所定部位に凹部５１、５２が設けられている点である。なお、その他の構成については上記飲用容器３０と同様である。この変形例に係る飲用容器７０では、使用者が飲用容器７０を持ちやすく、しかも、内容物がゼリー状の食品等である場合であっても、きわめて簡単に内容物を口に運ぶことができる。
【００７４】
本実施形態に係る飲用容器３０、５０、６０、７０では、筒状本体３７は円筒状に形成されているが、筒状本体３７は、筒状に形成されていれば、他の形状であってもよいことは勿論である。
【符号の説明】
【００７５】
１０・・・飲用容器
１１・・・仕切板
１２・・・所定位置
１３・・・筒状本体
１４・・・把手
１５・・・上側開口部
１６・・・下側開口部
１７・・・肉厚部
１９・・・中心軸
２０・・・上側収容室
２１・・・下側収容室
２２・・・所定位置
２５・・・飲用容器
３０・・・飲用容器
３１・・・第１仕切板
３２・・・第２仕切板
３３・・・上側収容室
３４・・・下側収容室
３５・・・所定位置
３６・・・所定位置
３７・・・筒状本体
３８・・・上端開口部
３９・・・下端開口部
４０・・・中心軸
４１・・・交差する部位
４２・・・外周面
４３・・・窪み
４４・・・所定位置
５０・・・飲用容器
５１・・・凹部
５２・・・凹部
６０・・・飲用容器
６１・・・平面
６２・・・平面
６３・・・飲み口
７０・・・飲用容器
【図１】
2013095489.tif 000003
【図２】
2013095489.tif 000004
【図３】
2013095489.tif 000005
【図４】
2013095489.tif 000006
【図５】
2013095489.tif 000007
【図６】
2013095489.tif 000008
【図７】
2013095489.tif 000009
【図８】
2013095489.tif 000010
【図９】
2013095489.tif 000011
【図１０】
2013095489.tif 000012
【図１１】
2013095489.tif 000013
【図１２】
2013095489.tif 000014
【図１３】
2013095489.tif 000015
【図１４】
2013095489.tif 000016
【図１５】
2013095489.tif 000017
【図１６】
2013095489.tif 000018
【図１７】
2013095489.tif 000019
【図１８】
2013095489.tif 000020
【手続補正書】
【提出日】平成24年2月3日(2012.2.3)
【手続補正１】
【補正対象書類名】特許請求の範囲
【補正対象項目名】全文
【補正方法】変更
【補正の内容】
【特許請求の範囲】
【請求項１】
上端及び下端にそれぞれ上端開口部及び下端開口部が設けられた筒状本体と、
当該筒状本体の内部に上記上端開口部を有する上側収容室を区画するように上記筒状本体の中心軸に対して傾斜して配置された第１仕切板と、
当該第１仕切板と協働して上記筒状本体の内部に上記下端開口部を有する下側収容室を区画するように上記筒状本体の中心軸に対して傾斜し且つ上記第１仕切板と交差して配置された第２仕切板とを備え、
上記第１仕切板は、上記上側収容室が上記上端から上記下端に向かって漸次先鋭するくさび状空間を形成するように上記筒状本体の中心軸に対して傾斜しており、
上記第２仕切板は、上記下側収容室が上記下端から上記第１仕切板と交差する部位に向かって漸次先鋭するくさび状空間を形成するように上記筒状本体の中心軸に対して傾斜している飲用容器。
【請求項２】
上記第１仕切板及び第２仕切板により、上記筒状本体の外周面にＶ字状の窪みが区画形成されている請求項１に記載の飲用容器。
【請求項３】
上記第２仕切板は、上記第１仕切板の中央と交差している請求項１又は２に記載の飲用容器。
【請求項４】
上記筒状本体の外周面であって上記上端部又は下端部の少なくともいずれか一方の外周面を形成する部位は、径方向に漸次先鋭する一対の平面を備えている請求項１から３のいずれかに記載の飲用容器。
【請求項５】
上記筒状本体の外周面に、上記第１仕切板と第２仕切板とが交差する部位を中心とする凹部が形成されている請求項２から４のいずれかに記載の飲用容器。